(57)【要約】【課題】見返し部材に透過表示される報知表示部とその周辺とが一体感を有する計器装置を提供する。【解決手段】計器表示部を設けた表示板８を有する速度計１（計器）と、表示板８の前方側に配置され表示板８の可視領域を定める開口部１５を有する見返し部材１６と、この見返し部材１６の背後に配置され報知表示器用ランプ２２（光源）の光によって透過表示される燃料残量表示部（報知表示部），ハイビーム表示部（報知表示部）を有する燃料残量インジケータ１８（報知表示器），ハイビームインジケータ１９（報知表示器）とを備え、見返し部材１６は暗色系の透明材からなると共に、少なくとも報知表示部に対応した箇所が薄肉部３２であり他箇所が厚肉部３３である。【選択図】図２
2006250596.tif 000002
【特許請求の範囲】
【請求項１】
計器表示部を設けた表示板を有する計器と、前記表示板の前方側に配置され前記表示板の可視領域を定める開口部を有する見返し部材と、この見返し部材の背後に配置され光源の光によって透過表示される報知表示部を有する報知表示器とを備え、前記見返し部材は光透過性を有する暗色系の部材からなると共に、少なくとも前記報知表示部に対応した箇所が薄肉部であり他箇所が厚肉部であることを特徴とする計器装置。
【請求項２】
前記厚肉部から前記薄肉部へは徐々に板厚変化していることを特徴とする請求項１に記載の計器装置。
【請求項３】
前記報知表示部が前記表示板に設けられていることを特徴とする請求項１または請求項２に記載の計器装置。
【発明の詳細な説明】
【技術分野】
【０００１】
本発明は、例えば車両用の計器装置に関し、特に車両の作動状態などを表示する報知表示器を備えた計器装置に関するものである。
【背景技術】
【０００２】
例えば車両用の計器装置は、速度計や燃料計などの他に、一般に車両の作動状態あるいは異常内容などを表示する報知表示器を備えている。そして、車両の作動状態に変化が生じた時に、報知表示器の報知表示部を発光させて運転者にその旨を知らせるようになっており、例えば下記特許文献１に記載のものが知られている。特許文献１に記載の表示装置は、その第１図に示されている様に、指針や文字板などを備えた計器が収納されたケーシング２の前方開口部側にパネル板４を配置し、このパネル板４に設けた貫通孔に裏面側から表示部材５を嵌め込んで接着したものである。表示部材５は、暗色透明のスモーク板８の表面に文字や記号などの表示部７部分を除いて黒色の不透光層７ａが印刷してある。
【０００３】
この様に表示部材５を暗色透明材（スモーク板８）としたことにより、外部光が照射されても表示部材５の擬似点灯を防ぐことができ、ランプ３点灯時もスモーク板８を透して透過部分７ｂが明るく着色透過するため、視認性の良い表示装置が得られるというものである。
【特許文献１】実開昭６２−２７３８９号公報
【発明の開示】
【発明が解決しようとする課題】
【０００４】
しかしながら、前記特許文献１に記載の表示装置（計器装置）においては、パネル板４と表示部材５がそれぞれ別部品であるために、パネル板４と表示部材５との間に境界線が必ず出てしまう。従って、表示部材５が暗色透明材であり、パネル板４が黒色であっても質感が異なり、如何にも表示部材５は別物であるという印象を与えてしまう。
【０００５】
本発明はこの様な点に鑑みなされたもので、見返し部材（パネル板に相当）に透過表示される報知表示部とその周辺とが一体感を有する計器装置を提供することを目的とする。
【課題を解決するための手段】
【０００６】
本発明は前記目的を達成するため、計器表示部を設けた表示板を有する計器と、前記表示板の前方側に配置され前記表示板の可視領域を定める開口部を有する見返し部材と、この見返し部材の背後に配置され光源の光によって透過表示される報知表示部を有する報知表示器とを備え、前記見返し部材は光透過性を有する暗色系の部材からなると共に、少なくとも前記報知表示部に対応した箇所が薄肉部であり他箇所が厚肉部であるものである。
【０００７】
また、前記厚肉部から前記薄肉部へは徐々に板厚変化しているものである。
【０００８】
また、前記報知表示部が前記表示板に設けられているものである。
【発明の効果】
【０００９】
見返し部材に透過表示される報知表示部とその周辺とが一体感を有する計器装置が得られる。
【発明を実施するための最良の形態】
【００１０】
本発明を、車両用の計器装置を実施形態として説明する。図１は計器装置の正面図であり、図２は第１実施形態を示す計器装置の断面図（図１に於けるＡ−Ａ断面）である。
【００１１】
計器装置は、計器としての例えば速度計１を備えており、硬質な回路基板２と、この回路基板２の表面側に回路基板２と導通状態で装着され、前方に延びる回動軸３を有する計器本体４と、回動軸３の先端側に固着された指示部５を有する指針６と、指示部５の後方に配置され指示部５の動作に対応する計器表示部７を設けた表示板８と、回路基板２に装着され指針６の指示部５や表示板８を照明する光源としての計器用ランプ９と、表示板８の裏面側に配置され計器用ランプ９の光を指針６の指示部５に導く導光板１０を備えている。１１は表示板８の背後に配置してある液晶表示素子で、車両の走行距離などを表示する。
【００１２】
また、速度計１の周囲に配置される周壁１２などを有し白色の不透過性樹脂からなる白色のケース１３と、回路基板２の裏面側を覆う合成樹脂製のカバー１４と、表示板８の周縁に沿った前方側に配置され表示板８の可視領域を定める開口部１５を有する合成樹脂製の見返し部材１６と、表示板８や見返し部材１６などの前方側を被う無色透明な透視板１７を備えている。
【００１３】
また、計器装置には報知表示器としての例えば燃料残量インジケータ１８，ハイビームインジケータ１９，ターンインジケータ２０を備えている。これらの各報知表示器は、図１に示す様な報知表示部としての燃料残量表示部１８Ａ，ハイビーム表示部１９Ａ，ターン表示部２０Ａが設けられた表示部材２１，２１Ａと（ターンインジケータ２０用は図示せず）、この表示部材２１，２１Ａを背後から照明する光源としての報知表示器用ランプ２２と、報知表示器用ランプ２２を囲むと共に表示部材２１，２１Ａが保持される筒部２３を有している。筒部２３はケース１３と一体形成されている。なお、燃料残量インジケータ１８，ハイビームインジケータ１９，ターンインジケータ２０は見返し部材１６の背後に配置されている。
【００１４】
導光板１０は、無色透明な合成樹脂からなり、表示板８に沿った平面部２４と、平面部２４から計器用ランプ９に向かう受光部２５を有する。また、平面部２４と受光部２５との間には第１の反射面２６が設けてあるとともに、貫通穴２７周囲には第２の反射面２８が設けてある。
【００１５】
指針６は、無色透明な合成樹脂からなる指示部５の他に、指針軸２９と、遮光性の合成樹脂からなる指針キャップ３０を備えている。指示部５の裏面には白色の箔（図示せず）がホットスタンプされており、昼間など周囲が明るい時は指示部５が白色で視認される。また、夜間など周囲が暗い時に計器用ランプ９が点灯すると、受光部２５から入射した光は第１の反射面２６で反射して平面部２４に導かれる。そして第２の反射面２８で反射して指針６側に導かれた光が白色の箔に反射して指示部５が白色で視認されるようになっている。
【００１６】
表示板８は、光透過性である無色透明な基板の表面側に車両の速度を現す目盛，数字などの計器表示部７が例えば白色で印刷されており、計器表示部７以外の地部３１は不透過性の例えば黒色が印刷されている。この計器表示部７は昼間など周囲が明るい時は白色で視認され、夜間など周囲が暗い時には計器用ランプ９からの照明光を受けて白色で透過表示されるようになっている。なお、図１に於いては計器表示部７を黒色で、地部３１を無色で示す。
【００１７】
燃料残量インジケータ１８用の表示部材２１は、光透過性で赤色半透明板の表面に絵記号からなる燃料残量表示部１８Ａを除いた領域に例えば黒色でホットスタンプあるいは印刷したものである。ハイビームインジケータ１９用の表示部材２１Ａは、光透過性で青色半透明板の表面にハイビーム表示部１９Ａを除いた領域に例えば黒色でホットスタンプあるいは印刷したものである。図示しないが、ターンインジケータ２０用の表示部材は緑色半透明板の表面にターン表示部２０Ａを除いた領域に黒色を設けたものである。また、各表示部材２１，２１Ａの裏面には微細な凹凸（シボ模様）が形成してある。なお、図１に於いては各表示部１８Ａ，１９Ａ，２０Ａを黒色で、他を無色で示す。
【００１８】
見返し部材１６は、光透過性を有する黒色の部材からなると共に、表示部材２１，２１Ａに対応した箇所が薄肉部３２であり他箇所が厚肉部３３となっている。薄肉部３２箇所は少なくとも燃料残量表示部１８Ａやハイビーム表示部１９Ａに対応した箇所であれば良いが、車両運転者が各表示部１８Ａ，１９Ａ，２０Ａを斜めから視認する場合もあるため、本実施形態に於いては表示部材２１，２１Ａに対応した箇所を薄肉部３２としてある。厚肉部３３から薄肉部３２への変化は傾斜面３４を設けて板厚が徐々に薄くなるようにしてある。なお、図１に於いて各表示部１８Ａ，１９Ａ，２０Ａを囲む破線内が薄肉部３２となっている。
【００１９】
この様に構成された計器装置に於いては、表示板８の可視領域以外は黒色の部材からなる見返し部材１６によって覆われており、ケース１３内が見えにくい様になっている。従って、燃料残量表示部１８Ａ，ハイビーム表示部１９Ａ，ターン表示部２０Ａも認識し難いが、例えば燃料残量インジケータ１８用の報知表示器用ランプ２２が点灯した際は、表示部材２１と見返し部材１６の薄肉部３２を透過した光で燃料残量表示部１８Ａが赤色で視認（透過表示）され、運転者に車両の状態を知らせるようになっている。ハイビーム表示部１９Ａ，ターン表示部２０Ａも同様である。
【００２０】
この様に、見返し部材１６を光透過性を有する黒色の部材とし、見返し部材１６の背後に燃料残量表示部１８Ａなどの報知表示部を有する燃料残量インジケータ１８（報知表示器）などを配置したことにより、見返し部材１６に従来の様な境界線が出ず、一体感のある計器装置を得ることができる。また、燃料残量表示部１８Ａなどの少なくとも報知表示部に対応した見返し部材１６箇所を薄肉部３２とし他箇所を厚肉部３３としたことにより、厚肉部３３箇所で表示板８の可視領域以外を覆い隠す役目を果たしながら薄肉部３２箇所に報知表示部を透過表示させることができる。
【００２１】
また、厚肉部３３から薄肉部３２へと徐々に板厚が薄くなるように形成したことにより、見返し部材１６を射出成型した際に薄肉部３２周囲の厚肉部３３箇所に発生しやすいヒケを抑えることができる。また、各表示部材２１，２１Ａの裏面に微細な凹凸（シボ模様）を形成することにより、報知表示器用ランプ２２の光を拡散させて各表示部１８Ａ，１９Ａ，２０Ａを透過表示させる、すなわち各表示部１８Ａ，１９Ａ，２０Ａを均一に透過表示させることができる。
【００２２】
図３は、本発明の第２実施形態を示す計器装置の部分断面図であり、図４は表示板の要部断面図である。前記第１実施形態では報知表示部を表示部材に設けたが、本実施形態に於いては、報知表示部を表示板に設けたものである。他は前記第１実施形態と同じため、同一または相当箇所には同一符号を付し、その詳細説明は省略する。
【００２３】
表示板８は、光透過性である無色透明な基板３５の表面側に、前記第１実施形態と同様に白色の計器表示部７と黒色の地部３１が印刷してある。また、この表示板８は報知表示器用ランプ２２を囲む筒部２３上まで延設されている。燃料残量インジケータ１８を例に説明すると、基板３５の表面側に赤色の透過性着色層３６を設けた後、透過領域Ｓを除いて黒色の地部３１が設けてある。そして、透過領域Ｓ内に燃料残量表示部１８Ａが黒色で印刷されている。この地部３１および燃料残量表示部１８Ａは、速度計１用の地部３１を形成する際に設けた黒色と同一工程で設ければ良い。ハイビームインジケータ，ターンインジケータも同様である。３７は、印刷面を保護すると共に、外光による反射を抑えるために設けた無色透明な保護層である。
【００２４】
この様に構成された計器装置に於いて、例えば燃料残量インジケータ１８用の報知表示器用ランプ２２が点灯した際は、透過領域Ｓが赤色で透過照明され、その中に燃料残量表示部１８Ａが黒色で現れる様になっており、前記第１実施形態と同様な効果が得られる。また、前記第１実施形態の様な表示部材が不要となり、部品点数の低減にも繋がる。
【００２５】
なお、本発明は前記各実施形態に限定されるものではなく、例えば前記第１実施形態に於いては各表示部１８Ａ，１９Ａ，２０Ａを除いた領域に黒色を設け、各表示部１８Ａ，１９Ａ，２０Ａが透過する様にしたが、前記第２実施形態の様に、透過領域Ｓを設け、この透過領域Ｓ内に不透過性の表示部１８Ａ，１９Ａ，２０Ａを設けて、透過領域Ｓ内に黒色の表示部１８Ａ，１９Ａ，２０Ａが現れる様にしても良い。その場合、少なくとも透過表示される透過領域Ｓに対応した見返し部材１６箇所が薄肉部３２となる。
【００２６】
また、前記第２実施形態に於いては表示板８に透過領域Ｓを設け、この透過領域Ｓ内に不透過性の表示部１８Ａ，１９Ａ，２０Ａを設けたが、前記第１実施形態と同じようにしても良い。また、光源として計器用ランプ９および報知表示器用ランプ２２を用いたが、発光ダイオードであっても良い。また、見返し部材１６は黒色に限定するものではなく、光透過性を有していれば濃灰，濃茶，濃青などの暗色系であれば良い。
【図面の簡単な説明】
【００２７】
【図１】本発明の実施形態を示す計器装置の正面図。
【図２】本発明の第１実施形態を示す計器装置の断面図（図１に於けるＡ−Ａ断面）。
【図３】本発明の第２実施形態を示す計器装置の部分断面図。
【図４】同第２実施形態を示す表示板の要部断面図。
【符号の説明】
【００２８】
１  速度計（計器）
７  計器表示部
８  表示板
１５  開口部
１６  見返し部材
１８  燃料残量インジケータ（報知表示器）
１９  ハイビームインジケータ（報知表示器）
１０  ターンインジケータ（報知表示器）
１８Ａ  燃料残量表示部（報知表示部）
１９Ａ  ハイビーム表示部（報知表示部）
２０Ａ  ターン表示部（報知表示部）
２１，２１Ａ  表示部材
２２  報知表示器用ランプ（光源）
３２  薄肉部
３３  厚肉部
【図１】
2006250596.tif 000003
【図２】
2006250596.tif 000004
【図３】
2006250596.tif 000005
【図４】
2006250596.tif 000006